(57)【特許請求の範囲】
【請求項１】
原稿とラインセンサの相対的な往復運動により、前記原稿の画像情報を読み取る画像読取装置であって、
可視光により前記原稿を照射して低解像度で前記画像情報を読み取るラフスキャンと、前記可視光により前記原稿を照射して高解像度で前記画像情報を読み取るファインスキャンと、不可視光により前記原稿を照射して前記画像情報を読み取る不可視光スキャンの３タイプのスキャンを行うスキャン手段を備え、
前記スキャン手段は、前記不可視光スキャンを前記ファインスキャンより低解像度で行うとともに、前記可視光により前記原稿を照射して前記画像情報を読み取るスキャンを前記往復運動の一方向の相対運動により行い、前記不可視光スキャンを前記往復運動の他方向の相対運動により行うことを特徴とする画像読取装置。
【請求項２】
請求項１記載の画像読取装置において、前記不可視光スキャンは、前記原稿上のゴミや疵の情報を読み取るためのものであることを特徴とする画像読取装置。
【請求項３】
請求項１または請求項２記載の画像読取装置において、前記スキャン手段は、前記ラフスキャンと前記不可視光スキャンを前記往復運動の一方向の相対運動により同時に行うことを特徴とする画像読取装置。
【請求項４】
請求項３記載の画像読取装置において、前記スキャン手段は、前記ファインスキャンを前記往復運動の他方向の相対運動により行うことを特徴とする画像読取装置。
【請求項５】
請求項１ないし請求項４のいずれかに記載の画像読取装置において、前記不可視光スキャンを行わないモードを有し、このモードが選択可能であることを特徴とする画像読取装置。
【請求項６】
請求項１ないし請求項５のいずれかに記載の画像読取装置において、前記不可視光は赤外光であることを特徴とする画像読取装置。
【請求項７】
請求項１ないし請求項６のいずれかに記載の画像読取装置において、前記原稿はフィルム原稿であることを特徴とする画像読取装置。
【請求項８】
請求項１ないし請求項６のいずれかに記載の画像読取装置において、前記原稿は透過原稿であることを特徴とする画像読取装置。
【請求項９】
原稿とラインセンサの相対的な往復運動により、前記原稿の画像情報を読み取る画像読取装置における画像読取方法であって、
可視光により前記原稿を照射して低解像度で前記画像情報を読み取るラフスキャンのステップと、前記可視光により前記原稿を照射して高解像度で前記画像情報を読み取るファインスキャンのステップと、不可視光により前記原稿を照射して前記画像情報を読み取る不可視光スキャンのステップとを備え、
前記不可視光スキャンを前記ファインスキャンよりも低解像度で行うとともに、前記可視光により前記原稿を照射して前記画像情報を読み取るスキャンを前記往復運動の一方向の相対運動により行い、前記不可視光スキャンを前記往復運動の他方向の相対運動により行うことを特徴とする画像読取方法。
【請求項１０】
請求項９に記載の画像読取方法において、前記不可視光は赤外光であることを特徴とする画像読取方法。
【請求項１１】
請求項９または請求項１０に記載の画像読取方法において、前記原稿はフィルム原稿であることを特徴とする画像読取方法。
【請求項１２】
請求項９または請求項１０に記載の画像読取方法において、前記原稿は透過原稿であることを特徴とする画像読取方法。
【請求項１３】
請求項９ないし請求項１２のいずれかに記載の画像読取方法を実現するためのプログラムを格納したことを特徴とする記憶媒体。
【発明の詳細な説明】
【０００１】
【発明の属する技術分野】
本発明は、現像済み写真フィルム等の透明原稿（透過原稿ともいう）や不透過フィルム原稿等の画像情報を読み取る画像読取装置に関するものである。
【０００２】
【従来の技術】
フィルムスキャナの従来例の構成を図１４〜図１６を用いて説明する。
【０００３】
図１４は従来例の要部斜視図、図１５は図１４に示されるフィルムスキャナの概要構成図、図１６は図１４に示されるフィルムスキャナの回路構成を示すブロック図である。
【０００４】
図中、１０１は原稿台として使用されるフィルムキャリッジ、１０２は現像済みのフィルムでありフィルムキャリッジ１０１上に固定されている。１０３は光源となるランプ、１０４はミラー、１０５はレンズ、１０６はＣＣＤ等で構成されるラインセンサであり、ランプ１０３からの光はフィルム１０２を透過し、ミラー１０４で反射されレンズ１０５によりラインセンサ１０６上に結像される。
【０００５】
１０７はフィルムキャリッジ１０１をスキャン（走査）方向（図１４，図１５中の矢印方向）へ移動させるためのモータ、１０８はフィルムキャリッジ１０１の位置を検出するセンサ、１０９はランプ１０３からラインセンサ１０６へ至る光軸、１１０は制御回路、１１１はレンズ１０５を保持するレンズホルダ、１１２はフィルムスキャナの外装ケース、１１３は入出力端子である。
【０００６】
また、ランプ１０３，ラインセンサ１０６，モータ１０７，センサ１０８，入出力端子１１３は、制御回路１１０と電気的に接続している。また、制御回路１１０は、図１６に示されるようにフィルムスキャナ制御回路，センサ制御回路，モータ制御回路，画像情報処理回路，ランプ制御回路，ラインセンサ制御回路，フィルム濃度検出回路，モータ駆動速度決定回路により構成されている。
【０００７】
次にフィルム１０２の画像情報読取方法について説明する。
【０００８】
まず外部より入出力端子１１３を通してフィルム読取動作の指令が入力されると、フィルムキャリッジ１０１の位置をセンサ１０８とセンサ制御回路により検出し、この情報がフィルムスキャナ制御回路に伝達される。そして、フィルムキャリッジ１０１を所定の待機位置へ待機させるためにモータ制御回路によりモータ１０７を駆動し、フィルムキャリッジ１０１を待機位置へ移動させる。そして、公知の方法によりフィルム濃度検出回路でフィルム１０２の濃度が検出され、この情報にもとずきモータ駆動速度決定回路でスキャンを行うためのモータ１０７の駆動速度が決定される。そして、ランプ制御回路によりランプ１０３が点燈され、先に決定された駆動速度でモータ１０７を回転させスキャン動作が行われる。このスキャン中にラインセンサ１０６より画像情報がラインセンサ制御回路を通し画像情報処理回路へ伝達される。このスキャン動作が終了するとランプ制御回路によりランプ１０３が消燈されると同時に画像情報処理回路で画像情報処理が行われる。そして、入出力端子１１３より画像情報が出力されフィルムスキャナのフィルム画像読取動作が終了する。
【０００９】
また近年、前述のように可視光によりスキャンを行うだけでなく、赤外光により前述と同様なスキャンを行うことによりフィルム上のゴミやフィルムの疵を検出し、可視光によるスキャンの画像情報と重ねあわせて、検出したゴミや疵を画像処理で補正し、ゴミや疵のない画像を提供できるフィルムスキャナが特公平０６−７８９９２号公報等で提案されている。
【００１０】
【発明が解決しようとする課題】
しかしながら、前記従来例では以下のような問題があった。
【００１１】
可視光によるフィルム画像のスキャンと、フィルム上のゴミやフィルムの疵を検出するための赤外光によるフィルム画像のスキャンを行おうとすると、前述のようにゴミや疵の補正を行わないときよりも長いスキャン時間を必要とする。
【００１２】
また、赤外光によるフィルム画像のスキャンを行いフィルム上のゴミやフィルムの疵を検出し、可視光によるスキャンの画像情報と重ねあわせて検出したゴミや疵を画像処理で補正し、ゴミや疵のない画像を得ようとすると、赤外光によるフィルム画像情報を記憶するための大きな容量の画像記憶手段が必要となる。つまりゴミや疵を補正したフィルム画像を得ることのできるフィルムスキャナは、前記ゴミや疵の補正を行わない従来のフィルムスキャナよりも大きな容量のメモリを必要とする。
【００１３】
本発明は、このような状況のもとでなされたものであり、従来よりも短時間でゴミや疵のない画像情報を得ることができ、メモリ容量が小さくてすむ画像読取装置，画像読取方法，記憶媒体を提供することを目的とするものである。
【００１４】
【課題を解決するための手段】
前記目的を達成するため、本発明では、画像読取装置を次の（１）〜（８）のとおりに構成し、画像読取方法を次の（９）ないし（１２）のとおりに構成し、そして記憶媒体を次の（１３）のとおりに構成する。
（１）原稿とラインセンサの相対的な往復運動により、前記原稿の画像情報を読み取る画像読取装置であって、
可視光により前記原稿を照射して低解像度で前記画像情報を読み取るラフスキャンと、前記可視光により前記原稿を照射して高解像度で前記画像情報を読み取るファインスキャンと、不可視光により前記原稿を照射して前記画像情報を読み取る不可視光スキャンの３タイプのスキャンを行うスキャン手段を備え、
前記スキャン手段は、前記不可視光スキャンを前記ファインスキャンより低解像度で行うとともに、前記可視光により前記原稿を照射して前記画像情報を読み取るスキャンを前記往復運動の一方向の相対運動により行い、前記不可視光スキャンを前記往復運動の他方向の相対運動により行う画像読取装置。
（２）前記（１）記載の画像読取装置において、前記不可視光スキャンは、前記原稿上のゴミや疵の情報を読み取るためのものである画像読取装置。
（３）前記（１）または（２）記載の画像読取装置において、前記スキャン手段は、前記ラフスキャンと前記不可視光スキャンを前記往復運動の一方向の相対運動により同時に行う画像読取装置。
（４）前記（３）記載の画像読取装置において、前記スキャン手段は、前記ファインスキャンを前記往復運動の他方向の相対運動により行う画像読取装置。
（５）前記（１）ないし（４）のいずれかに記載の画像読取装置において、前記不可視光スキャンを行わないモードを有し、このモードが選択可能である画像読取装置。
（６）前記（１）ないし（５）のいずれかに記載の画像読取装置において、前記不可視光は赤外光である画像読取装置。
（７）前記（１）ないし（６）のいずれかに記載の画像読取装置において、前記原稿はフィルム原稿である画像読取装置。
（８）前記（１）ないし（６）のいずれかに記載の画像読取装置において、前記原稿は透過原稿である画像読取装置。
（９）原稿とラインセンサの相対的な往復運動により、前記原稿の画像情報を読み取る画像読取装置における画像読取方法であって、
可視光により前記原稿を照射して低解像度で前記画像情報を読み取るラフスキャンのステップと、前記可視光により前記原稿を照射して高解像度で前記画像情報を読み取るファインスキャンのステップと、不可視光により前記原稿を照射して前記画像情報を読み取る不可視光スキャンのステップとを備え、
前記不可視光スキャンを前記ファインスキャンよりも低解像度で行うとともに、前記可視光により前記原稿を照射して前記画像情報を読み取るスキャンを前記往復運動の一方向の相対運動により行い、前記不可視光スキャンを前記往復運動の他方向の相対運動により行う画像読取方法。
（１０）前記（９）に記載の画像読取方法において、前記不可視光は赤外光である画像読取方法。
（１１）前記（９）または（１０）に記載の画像読取方法において、前記原稿はフィルム原稿である画像読取方法。
（１２）前記（９）または（１０）に記載の画像読取方法において、前記原稿は透過原稿である画像読取方法。
（１３）前記（９）ないし（１２）のいずれかに記載の画像読取方法を実現するためのプログラムを格納した記憶媒体。
【００２６】
（１２）前記（１０）または（１１）に記載の画像読取方法において、前記原稿はフィルム原稿である画像読取方法。
【００２７】
（１３）前記（１０）または（１１）に記載の画像読取方法において、前記原稿は透過原稿である画像読取方法。
【００２８】
（１４）前記（１０）ないし（１３）のいずれかに記載の画像読取方法を実現するためのプログラムを格納した記憶媒体。
【００２９】
【発明の実施の形態】
以下本発明の実施の形態をフィルムスキャナの実施例により詳しく説明する。なお、本発明は、フィルムスキャナ（フィルム画像読取装置）の形に限らず、フィルム画像読取方法およびこの方法を実現するためのプログラムを格納したＣＤ−ＲＯＭ等の記憶媒体の形で同様に実施することができる。
【００３０】
【実施例】
（第１実施例）
本発明の第１実施例を図１〜図６を用いて説明する。
【００３１】
図１は本実施例のフィルムスキャナの要部斜視図、図２は図１に示されるフィルムスキャナの概要構成図、図３は図１に示されるフィルムスキャナの回路構成を示すブロック図、図４は図１に示されるフィルムスキャナの動作を示すフローチャート、図５は本実施例中に使用されるランプユニットの可視光発光部の発光スペクトル強度分布図、図６は本実施例中に使用されるランプユニットの赤外光発光部の発光スペクトル強度分布図である。
【００３２】
図中、１は原稿台として使用されるフィルムキャリッジ、２は現像済みのフィルムでありフィルムキャリッジ１上に固定されている。３はランプユニットであり、図５に示されるような発光スペクトル強度分布を有する可視光発光部３ａおよび図６に示されるような発光スペクトル強度分布を有する赤外光発光部３ｂで構成されている。４はミラー、５はレンズ、６はＣＣＤ等で構成されるラインセンサであり、ランプユニット３からの光はフィルム２を透過し、ミラー４で反射されレンズ５によりラインセンサ６上に結像される。またラインセンサ６はＲ受光部分、Ｇ受光部分およびＢ受光部分の３部分の受光領域を有しており、それぞれ赤色，緑色，青色の光波長に対して感度を有し、またＲ受光部分、Ｇ受光部分およびＢ受光部分の少なくとも１部分は赤外光に対しても感度を有する。７はフィルムキャリッジ１をスキャン（走査）方向（図１，図２中の矢印方向）へ移動させるためのモータ、８はフィルムキャリッジ１の位置を検出するセンサ、９はランプユニット３からラインセンサ６へ至る光軸、１０は制御回路、１１はレンズ５を保持するレンズホルダ、１２はフィルムスキャナの外装ケース、１３は入出力端子である。
【００３３】
また、ランプユニット３，ラインセンサ６，モータ７，センサ８，入出力端子１３は制御回路１０と電気的に接続している。また、制御回路１０は図３に示されるようにフィルムスキャナ制御回路，センサ制御回路，モータ制御回路，画像情報処理回路，ランプユニット制御回路，ラインセンサ制御回路，フィルム濃度検出回路，モータ駆動速度決定回路，画像情報記憶回路により構成されている。
【００３４】
次にフィルム２の画像情報読取方法について図４のフローチャートを参照し説明する。
【００３５】
まず外部より入出力端子１３を通してフィルム読取動作の指令が入力されるとフィルムキャリッジ１の位置をセンサ８とセンサ制御回路により検出し、この情報がフィルムスキャナ制御回路に伝達される。そして、フィルムキャリッジ１を所定の待機位置へ待機させるためにモータ制御回路によりモータ７を駆動し、フィルムキャリッジ１を待機位置へ移動させる（Ｓ１参照、以下同様）。そして、ランプユニット制御回路によりランプユニット３の可視光発光部３ａが点燈され（Ｓ２）、所定の駆動速度でモータ制御回路によりモータ７を所定の方向へ回転させ可視光によるフィルム２の画像情報を得るためのラフスキャン動作が行われる（Ｓ３）。このラフスキャン中にラインセンサ６より画像情報がラインセンサ制御回路を通し画像情報処理回路へ伝達され、そしてこの情報に基づきフィルム濃度検出回路によりフィルム２の光透過率つまりフィルム濃度が検出される（Ｓ４）。そして、ラフスキャンのための画像読取動作が終了すると、ランプユニット制御回路によりランプユニット３の可視光発光部３ａが消燈され（Ｓ５）、次にランプユニット制御回路によりランプユニット３の赤外光発光部３ｂが点燈される（Ｓ６）。そして、所定の駆動速度でモータ制御回路によりモータ７を逆の方向へ回転させ赤外光によるフィルム２の画像情報を得るためのスキャン動作が行われる（Ｓ７）。このスキャン中にラインセンサ６より画像情報がラインセンサ制御回路を通し画像情報処理回路へ伝達され、赤外光の透過状態、つまりフィルム２上の他の大部分の領域より赤外光の透過率が所定値以上に異なるフィルム２上の領域を検出することによりフィルム２上のゴミや疵の範囲が検出される（Ｓ８）。そして、このゴミや疵の範囲情報が画像情報記憶回路へ伝達され記憶される（Ｓ９）。そして、赤外光によるフィルム２の画像情報、つまりゴミや疵の範囲情報を得るためのスキャン動作が終了すると、ランプユニット制御回路によりランプユニット３の赤外光発光部３ｂが消燈され（Ｓ１０）、そして、先に行われたラフスキャンにより検出されたフィルム全域のフィルム濃度にもとずき適正な光量の画像が得られるようにモータ駆動速度決定回路でファインスキャン時のモータ駆動速度が決定される（Ｓ１１）。次にランプユニット制御回路によりランプユニット３の可視光発光部３ａが点燈される（Ｓ１２）。そして決定されたモータ駆動速度でモータ制御回路によりモータ７を所定の方向に回転させてファインスキャン動作が行われる（Ｓ１３）。このファインスキャン中にラインセンサ６より画像情報がラインセンサ制御回路を通し画像情報処理回路へ伝達される。そして、ファインスキャンのための画像読取動作が終了し、フィルムキャリッジ１がその待機位置へ戻され（Ｓ１４）ファインスキャン動作が終了するとランプ制御回路によりランプユニット３の可視光発光部３ａが消燈されると同時に画像情報記憶回路よりゴミや疵の範囲情報を画像情報処理回路へ伝達し、ここでファインスキャン（可視光）によるフィルム２の画像情報のゴミや疵の範囲を補正する画像情報処理が行われる（Ｓ１５）。そして、入出力端子１３より画像情報が出力され（Ｓ１６）フィルムスキャナのフィルム画像読取動作が終了する。ここで、赤外光によるスキャンを、前記ファインスキャンより低い解像度の前記ラフスキャンと同じ解像力で読取る、もしくはファインスキャンよりも低い解像度で読取れば、赤外光によるスキャンを前記ファインスキャンと同じ解像力で読取る場合に比べて記憶手段の記憶容量（メモリの容量）を小さくできると同時に、赤外光によるスキャンを短時間で行うことができるようになる。詳説すると、ファインスキャンによる画像情報の読取りにおいては読取解像度に比例した画質が得られるものであるが、赤外光によるスキャンはフィルム上のゴミや疵の範囲情報を得てファインスキャンにより得られる画像情報を補正するためのものであるからフィルム上のゴミや疵の範囲を特定できれば良くファインスキャンほど高い解像度でスキャンを行わなくてもその目的（フィルム上のゴミや疵の範囲情報を得る）を達成することができる。このため、赤外光によるスキャン時の読取解像度はラフスキャンのそれと同じ、もしくはファインスキャンよりも低い解像度とすれば、ファインスキャンと同じ解像力で読み取る場合に比べて記憶手段の記憶容量（メモリの容量）を小さくできるのである。また同時に、読取解像度を低くすれば当然であるがモータ７の駆動速度を高くする（読取りのサンプリングを粗くすることができるため）ことができ、したがって赤外光によるスキャンかかる時間も短縮できる。
【００３６】
また、赤外光によるスキャンを前述のようなタイミングで行わずに、ラフスキャンを行う前に赤外光によるフィルム２の画像情報を得るためのスキャン動作（赤外光スキャン）を行ってもよい。
【００３７】
また、フィルム２上のゴミや疵の範囲情報と、可視光によるフィルム２の画像情報を別々に出力端子１３より出力し、出力端子１３に接続された不図示の機器により可視光によるフィルム２の画像情報のゴミや疵の範囲を補正する画像情報処理を行ってもよい。
【００３８】
また、赤外光によるスキャン動作を行わず、可視光によるフィルム２の画像情報のためのスキャン動作だけを行う動作モードを設け、この動作モードを選択できるようにしてもよい。このようにすれば、ゴミや疵のほとんどないフィルムをスキャンする場合や出力画像のゴミや疵の補正を行う必要のない場合にフィルム２の画像情報のゴミや疵の範囲を補正する画像情報処理を行わずに可視光によるフィルム２の画像情報を得るための画像情報処理にかかる時間を短縮することができるという効果が得られる。
【００３９】
（第２実施例）
本発明の第２実施例を図７〜図１２を用いて説明する。
【００４０】
図７は本実施例のフィルムスキャナの要部斜視図、図８は図７に示されるフィルムスキャナの概要構成図、図９は図７に示されるフィルムスキャナの回路構成を示すブロック図、図１０は図７に示されるフィルムスキャナの動作を制御するフローチャート、図１１は本実施例中に使用される物性素子の可視光および赤外光透過状態の分光透過特性図、図１２は本実施例中に使用される物性素子の赤外光不透過状態の分光透過特性図である。
【００４１】
図中、３１は原稿台として使用されるフィルムキャリッジ、３２は現像済みのフィルムでありフィルムキャリッジ３１上に固定されている。３３は可視光および赤外光の光源となるランプであり可視光波長領域から赤外波長までの発光特性を有する。３４はミラー、３５はレンズ、３６はＣＣＤ等で構成されるラインセンサであり、ランプ３３からの光はフィルム３２を透過し、ミラー３４で反射されレンズ３５によりラインセンサ３６上に結像される。またラインセンサ３６はＲ受光部分、Ｇ受光部分およびＢ受光部分の３部分の受光領域を有しており、それぞれ赤色（Ｒ），緑色（Ｇ），青色（Ｂ）の光波長に対して感度を有し、またＲ受光部分、Ｇ受光部分およびＢ受光部分の少なくとも１部分は赤外光（ＩＲ）に対しても感度を有する。３７はフィルムキャリッジ３１をスキャン（走査）方向（図７，図８中の矢印方向）へ移動させるためのモータ、３８はフィルムキャリッジ３１の位置を検出するセンサ、３９はランプ３３からラインセンサ３６へ至る光軸、４０は電気的に可視光や赤外光の透過率を制御することのできるエレクトロ・クロミー（ＥＣ）のような物性素子である。４１は制御回路、４２はレンズ３５を保持するレンズホルダ、４３はフィルムスキャナの外装ケース、４４は入出力端子である。
【００４２】
また、ランプ３３，ラインセンサ３６，モータ３７，センサ３８，物性素子４０，入出力端子４４は制御回路４１と電気的に接続している。また、制御回路４１は図７に示されるようにフィルムスキャナ制御回路，センサ制御回路，物性素子制御回路，モータ制御回路，画像情報処理回路，ランプ制御回路，ラインセンサ制御回路，フィルム濃度検出回路，モータ駆動速度決定回路，画像情報記憶回路により構成されている。
【００４３】
次にフィルム３２の画像情報読取方法について図１０のフローチャートを参照し説明する。
【００４４】
まず外部より入出力端子４４を通してフィルム読取り動作の指令が入力されるとフィルムキャリッジ３１の位置をセンサ３８とセンサ制御回路により検出し、この情報がフィルムスキャナ制御回路に伝達される。そして、フィルムキャリッジ３１を所定の待機位置へ待機させるためにモータ制御回路により所定の駆動速度でモータ３７を駆動し、フィルムキャリッジ３１を待機位置へ移動させる。また、同時に物性素子制御回路により物性素子４０の分光透過特性を図１１に示されるような可視光および赤外光の透過状態にする（Ｓ２１）。そして、ランプ制御回路によりランプ３が点燈され（Ｓ２２）、フィルム３２の映像範囲を所定の速度でフィルム面方向へ走査するためにモータ制御回路によりモータ３７を所定の速度で所定の方向へ回転させ可視光および赤外光によるフィルム３２の画像情報を得るためのラフスキャン動作が行われる（Ｓ２３）。このラフスキャン中にラインセンサ３６より出力信号（画像情報）がラインセンサ制御回路を通し画像情報処理回路へ伝達され、そしてこの情報に基づきフィルム濃度検出回路によりフィルム３２の可視光の光透過率つまりフィルム濃度が検出される。また、同様にして画像情報処理回路により赤外光の透過状態、つまりフィルム３２上の他の大部分の領域より赤外光の透過率が所定値以上に異なるフィルム３２上の領域を検出することによりフィルム３２上のゴミや疵の範囲が検出される（Ｓ２４）。そして、このゴミや疵の範囲情報が画像情報記憶回路へ伝達され記憶される（Ｓ２５）。
【００４５】
フィルムキャリッジ３１が所定の駆動速度でモータ制御回路によりモータ３７を逆転させ、その待機位置へ戻されラフスキャン動作およびフィルム上のゴミや疵の範囲情報を得るためのスキャン動作が終了すると、検出されたフィルム全域のフィルム濃度に基づき適正な光量の画像が得られるようにモータ駆動速度決定回路によりファインスキャンを行うためのモータ３７の駆動速度が決定される（Ｓ２６）。そして、物性素子制御回路により物性素子４０の分光透過特性を図１２に示されるような赤外光不透過状態にする（Ｓ２７）。そして先に決定された駆動速度でモータ制御回路によりモータ３７を所定の方向へ回転させてファインスキャン動作が行われる（Ｓ２８）。このファインスキャン中にラインセンサ３６より出力信号（画像情報）がラインセンサ制御回路を通し画像情報処理回路へ伝達される。そして、ファインスキャンのための画像読取動作が終了し所定の駆動速度でモータ制御回路によりモータ３７を回転させ、フィルムキャリッジ３１がその待機位置へ戻されファインスキャン動作が終了すると（Ｓ２９）、ランプ制御回路によりランプ３３が消燈されると同時に画像情報記憶回路よりゴミや疵の範囲情報を画像情報処理回路へ伝達し、ここでファインスキャン（可視光）によるフィルム３２の画像情報のゴミや疵の範囲を補正する画像情報処理が行われる（Ｓ３０）。そして、入出力端子４４より画像情報が出力され（Ｓ３１）フィルムスキャナのフィルム画像読取動作が終了する。
【００４６】
ここで、実施例１と同様にフィルム３２上のゴミや疵の範囲情報と、可視光によるフィルム３２の画像情報を別々に出力端子４４より出力し、出力端子４４に接続された不図示の機器により可視光によるフィルム３２の画像情報のゴミや疵の範囲を補正する画像情報処理を行ってもよい。
【００４７】
また、赤外光によるスキャン動作を行わず、可視光によるフィルム３２の画像情報のためのスキャン動作だけを行う動作モードを設け、この動作モードを選択できるようにしてもよい。このようにすれば、ゴミや疵のほとんどないフィルムをスキャンする場合や出力画像のゴミや疵の補正を行う必要のない場合にフィルム３２の画像情報のゴミや疵の範囲を補正する画像情報処理を行わずに可視光によるフィルム３２の画像情報を得るための画像情報処理にかかる時間を短縮することができるという効果が得られる。
【００４８】
（第３実施例）
本発明の第３実施例を図７〜図９、図１１〜図１２および図１３を用いて説明する。
【００４９】
図７〜図９および図１１〜図１２は第２実施例と同じなのでその説明を省略する。図１３は図７に示されるフィルムスキャナの動作を示すフローチャートである。
【００５０】
また符号も第２実施例と共通なので、その説明を省略する。
【００５１】
本実施例は第２実施例の変形の実施例であり、第２実施例と同様の構成のフィルムスキャナにおいて、モータ３７によりフィルムキャリッジ３１がラインセンサ３６に対し往復運動を行うときに、前記往復運動によるヒステリシスが非常に小さい場合等、つまりフィルムキャリッジ３１の所定の方向の移動とその逆方向の移動により画像を取り込もうとしたときに、その双方の移動（往復運動の往と復）により得られる画像情報を容易に重ね合わすことができる場合における実施例である。
【００５２】
次にフィルム３２の画像情報読取方法について図１３のフローチャートを参照し説明する。
【００５３】
まず外部より入出力端子４４を通してフィルム読取動作の指令が入力されるとフィルムキャリッジ３１の位置をセンサ３８とセンサ制御回路により検出し、この情報がフィルムスキャナ制御回路に伝達される。そして、フィルムキャリッジ３１を所定の待機位置へ待機させるためにモータ制御回路により所定の駆動速度でモータ３７を駆動し、フィルムキャリッジ３１を待機位置へ移動させる。また、同時に物性素子制御回路により物性素子４０の分光透過特性を図１１に示されるような可視光および赤外光の透過状態にする（Ｓ４１）。そして、ランプ制御回路によりランプ３が点燈され（Ｓ４２）、フィルム３２の映像範囲を所定の速度でフィルム面方向へ走査するためにモータ制御回路によりモータ３７を所定の速度で所定の方向へ回転させ可視光および赤外光によるフィルム３２の画像情報を得るためのラフスキャン動作が行われる（Ｓ４３）。このラフスキャン中にラインセンサ３６より出力信号（画像情報）がラインセンサ制御回路を通し画像情報処理回路へ伝達され、そしてこの情報に基づきフィルム濃度検出回路によりフィルム３２の可視光の光透過率つまりフィルム濃度が検出される。また、同様にして画像情報処理回路により赤外光の透過状態、つまりフィルム３２上の他の大部分の領域より赤外光の透過率が所定値以上に異なるフィルム３２上の領域を検出することによりフィルム３２上のゴミや疵の範囲が検出される（Ｓ４４）。そして、このゴミや疵の範囲情報が画像情報記憶回路へ伝達され記憶される（Ｓ４５）。
【００５４】
ラフスキャン動作およびフィルム上のゴミや疵の範囲情報を得るためのスキャン動作が終了すると検出されたフィルム全域のフィルム濃度に基づき適正な光量の画像が得られるようにモータ駆動速度決定回路によりファインスキャンを行うためのモータ３７の駆動速度が決定される（Ｓ４６）。そして、物性素子制御回路により物性素子４０の分光透過特性を図１２に示されるような赤外光不透過状態にする（Ｓ４７）。そして先に決定された駆動速度でモータ制御回路によりモータ３７を逆転させてファインスキャン動作が行われる（Ｓ４８）。このファインスキャン中にラインセンサ３６より出力信号（画像情報）がラインセンサ制御回路を通し画像情報処理回路へ伝達される。そして、ファインスキャンのための画像読取り動作が終了し所定の駆動速度でモータ制御回路によりモータ３７を回転させ、フィルムキャリッジ３１がその待機位置へ戻され（Ｓ４９）ファインスキャン動作が終了するとランプ制御回路によりランプ３３が消燈されると同時に画像情報記憶回路よりゴミや疵の範囲情報を画像情報処理回路へ伝達し、ここでファインスキャン（可視光）によるフィルム３２の画像情報のゴミや疵の範囲を補正する画像情報処理が行われる（Ｓ５０）。そして、入出力端子４４より画像情報が出力されフィルムスキャナのフィルム画像読取り動作が終了する。
【００５５】
ここで、他の実施例と同様にフィルム３２上のゴミや疵の範囲情報と、可視光によるフィルム３２の画像情報を別々に出力端子４４より出力し、出力端子４４に接続された不図示の機器により可視光によるフィルム３２の画像情報のゴミや疵の範囲を補正する画像情報処理を行ってもよい。
【００５６】
また、赤外光によるスキャン動作を行わず、可視光によるフィルム３２の画像情報のためのスキャン動作だけを行う動作モードを設け、この動作モードを選択できるようにしてもよい。このようにすれば、ゴミや疵のほとんどないフィルムをスキャンする場合や出力画像のゴミや疵の補正を行う必要のない場合にフィルム３２の画像情報のゴミや疵の範囲を補正する画像情報処理を行わずに可視光によるフィルム３２の画像情報を得るための画像情報処理にかかる時間を短縮することができるという効果が得られる。
【００５７】
【発明の効果】
以上説明したように、本発明によれば、従来よりも短時間でゴミや疵のない画像情報を得ることができ、メモリ容量が小さくてすむ画像読取装置，画像読取方法，記憶媒体を提供することができる。
【図面の簡単な説明】
【図１】  第１実施例のフィルムスキャナの要部斜視図
【図２】  図１に示されるフィルムスキャナの概要構成図
【図３】  図１に示されるフィルムスキャナの回路構成を示すブロック図
【図４】  図１に示されるフィルムスキャナの動作を示すフローチャート
【図５】  ランプユニットの可視光発光部の発光スペクトル強度分布図
【図６】  ランプユニットの赤外光発光部の発光スペクトル強度分布図
【図７】  第２実施例のフィルムスキャナの要部斜視図
【図８】  図７に示されるフィルムスキャナの概要構成図
【図９】  図７に示されるフィルムスキャナの回路構成を示すブロック図
【図１０】  図７に示されるフィルムスキャナの動作を示すフローチャート
【図１１】  物性素子の可視光および赤外光透過状態の分光透過特性図
【図１２】  物性素子の赤外光不透過状態の分光透過特性図
【図１３】  図７に示されるフィルムスキャナの動作を示すフローチャート
【図１４】  従来例のフィルムスキャナの要部斜視図
【図１５】  図１４に示されるフィルムスキャナの概要構成図
【図１６】  図１４に示されるフィルムスキャナの回路構成を示すブロック図
【符号の説明】
２  フィルム
６  ラインセンサ
１０  制御回路
【図１】
0003689568.tif 000002
【図２】
0003689568.tif 000003
【図３】
0003689568.tif 000004
【図４】
0003689568.tif 000005
【図５】
0003689568.tif 000006
【図６】
0003689568.tif 000007
【図７】
0003689568.tif 000008
【図８】
0003689568.tif 000009
【図９】
0003689568.tif 000010
【図１０】
0003689568.tif 000011
【図１１】
0003689568.tif 000012
【図１２】
0003689568.tif 000013
【図１３】
0003689568.tif 000014
【図１４】
0003689568.tif 000015
【図１５】
0003689568.tif 000016
【図１６】
0003689568.tif 000017